(57)【要約】【課題】  移動局ＵＥが、複数のデータフローを同じデータブロックに多重して送信する場合の動作を明確に規定し、かかるデータブロックの伝送速度を効率的に制御する。【解決手段】  本発明は、移動局ＵＥによって上りリンクを介して送信されるデータの伝送速度を、無線基地局ＮｏｄｅＢによって指示された最大許容伝送速度まで上げていく伝送速度制御方法に関する。かかる伝送速度制御方法は、移動局ＵＥが、複数のデータフローを同じデータブロックに多重して送信する際に、前記無線基地局によってデータフロー毎に指示された最大許容伝送速度のうち、最も大きい最大許容伝送速度まで、該データブロックの伝送速度を上げていく工程を有する。【選択図】  図３
2006197269.tif 000002
【特許請求の範囲】
【請求項１】
移動局によって上りリンクを介して送信されるデータの伝送速度を、無線基地局によって指示された最大許容伝送速度まで、無線回線制御局によって指示された初期伝送速度及び伝送速度増加幅に従って上げていく伝送速度制御方法であって、
前記移動局が、複数のデータフローを同じデータブロックに多重して送信する際に、前記無線基地局によってデータフロー毎に指示された最大許容伝送速度のうち、最も大きい最大許容伝送速度まで、該データブロックの伝送速度を上げていく工程を有することを特徴とする伝送速度制御方法。
【請求項２】
前記移動局が、前記無線回線制御局によってデータフロー毎に指示された初期伝送速度のうち、最も大きい初期伝送速度によって前記データブロックの送信を開始する工程を有することを特徴とする請求項１に記載の伝送速度制御方法。
【請求項３】
前記移動局が、前記無線回線制御局によってデータフロー毎に指示された伝送速度増加幅のうち、最も大きい伝送速度増加幅によって、前記データブロックの伝送速度を上げていくことを特徴とする請求項１又は２に記載の伝送速度制御方法。
【請求項４】
上りリンクを介して送信するデータの伝送速度を、無線基地局によって指示された最大許容伝送速度まで、無線回線制御局によって指示された初期伝送速度及び伝送速度増加幅に従って上げていくように構成されている移動局であって、
複数のデータフローを同じデータブロックに多重して送信する際に、前記無線基地局によってデータフロー毎に指示された最大許容伝送速度のうち、最も大きい最大許容伝送速度まで、該データブロックの伝送速度を上げていくように構成されている伝送速度制御部を具備することを特徴とする移動局。
【請求項５】
前記伝送速度制御部は、前記無線回線制御局によってデータフロー毎に指示された初期伝送速度のうち、最も大きい初期伝送速度によって前記データブロックの送信を開始するように構成されていることを特徴とする請求項４に記載の移動局。
【請求項６】
前記伝送速度制御部は、前記無線回線制御局によってデータフロー毎に指示された伝送速度増加幅のうち、最も大きい伝送速度増加幅によって、前記データブロックの伝送速度を上げていくことように構成されていることを特徴とする請求項４又は５に記載の移動局。
【請求項７】
移動局によって上りリンクを介して送信される複数のデータフローが多重されたデータブロックを受信するように構成されている無線基地局であって、
前記移動局に対して、データフロー毎の最大許容伝送速度を指示するように構成されている最大許容伝送速度指示部と、
前記移動局が、前記データフロー毎に指示された最大許容伝送速度のうち、最も大きい最大許容伝送速度まで、前記データブロックの伝送速度を上げていくことを想定して、該データブロックを受信するための受信リソースを割り当てるように構成されている受信リソース割当部とを具備することを特徴とする無線基地局。
【請求項８】
前記受信リソース割当部は、データフロー毎に指示された初期伝送速度のうち、最も大きい初期伝送速度によって前記データブロックの送信を開始することを想定して、該データブロックを受信するための受信リソースを割り当てるように構成されている請求項７に記載の無線基地局。
【請求項９】
前記受信リソース割当部は、データフロー毎に指示された伝送速度増加幅のうち、最も大きい伝送速度増加幅によって、前記データブロックの伝送速度を上げていくことを想定して、該データブロックを受信するための受信リソースを割り当てるように構成されている請求項７又は８に記載の無線基地局。
【発明の詳細な説明】
【技術分野】
【０００１】
本発明は、移動局によって上りリンクを介して送信されるデータの伝送速度を、無線基地局によって指示された最大許容伝送速度まで、無線回線制御局によって指示された初期伝送速度及び伝送速度増加幅に従って上げていく伝送速度制御方法、移動局及び無線基地局に関する。
【背景技術】
【０００２】
近年、移動局によって上りリンクを介してデータを送信するための無線リソース（上り無線リソース）を有効利用するために、第３世代移動通信システムの国際標準化団体である３ＧＰＰにおいて、無線基地局と移動局との間のレイヤ１及びＭＡＣサブレイヤにおける高速な無線リソース制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。
【０００３】
かかる３ＧＰＰにおける「上り回線エンハンスメント」の検討結果として、２種類の無線リソース制御方法を標準化仕様にてサポートすることが決定された（非特許文献１参照）。そのうちの１つが「Ｃｏｍｍｏｎ  Ｒａｔｅ  Ｃｏｎｔｒｏｌ（“ｎｏｎ-ＲＧ  ｂａｓｅｄ”）」である。以下、図４を参照して、かかる「Ｃｏｍｍｏｎ  Ｒａｔｅ  Ｃｏｎｔｒｏｌ」について説明する。
【０００４】
図４に示すように、「Ｃｏｍｍｏｎ  Ｒａｔｅ  Ｃｏｎｔｒｏｌ」では、以下の伝送速度制御方法が適用される。
【０００５】
第１に、無線基地局ＮｏｄｅＢが、各移動局ＵＥにおける通信開始時に、各移動局ＵＥに対して、無線回線制御局ＲＮＣによって設定された「初期伝送速度」及び「伝送速度増加幅」を通知する。
【０００６】
第２に、無線基地局ＮｏｄｅＢが、全移動局ＵＥに対して、送信フレーム毎若しくは複数の送信フレーム毎に、共通のシグナリングによって「最大許容伝送速度」を通知する。かかる「最大許容伝送速度」は、無線基地局ＮｏｄｅＢによって計測された上りリンクにおける干渉量に応じて決定される。
【０００７】
第３に、移動局ＵＥは、「初期伝送速度」によってデータの送信を開始し、当該データの伝送速度を、「最大許容伝送速度」に達するまで、送信フレーム毎に「伝送速度増加幅」だけ増加させていく。
【０００８】
ここで、無線回線制御局ＲＮＣ及び無線基地局ＮｏｄｅＢは、「初期伝送速度」、「伝送速度増加幅」及び「最大許容伝送速度」を、データフロー毎に設定するように構成されている。一般的に、データフローは、サービス種別に対応付けられる。
【非特許文献１】３ＧＰＰ  ＴＳ  ２５.３０９  ｖ６.１.０、２００４年１２月
【発明の開示】
【発明が解決しようとする課題】
【０００９】
上述のように、３ＧＰＰにおける上り回線エンハンスメントでは、「Ｃｏｍｍｏｎ  Ｒａｔｅ  Ｃｏｎｔｒｏｌ」の採用が決定されている。
【００１０】
しかしながら、従来の「Ｃｏｍｍｏｎ  Ｒａｔｅ  Ｃｏｎｔｒｏｌ」において、移動局ＵＥが、複数のデータフローを同じデータブロックに多重して送信する場合の伝送速度制御方法が明確に規定されていない。
【００１１】
すなわち、図５に示すように、移動局ＵＥが、サービス種別＃１に係るデータフローのみをデータブロックに乗せて送信する場合、「初期伝送速度＃１」、「伝送速度増加幅＃１」及び「最大許容伝送速度＃１」に従って、当該データブロックの伝送速度を制御すればよいため、問題はない。
【００１２】
しかしながら、図６に示すように、移動局ＵＥは、複数のサービス種別＃１及び＃２に係るデータフローを同じデータブロックに多重して送信する場合、複数の「初期伝送速度＃１及び＃２」、複数の「伝送速度増加幅＃１及び＃２」及び複数の「最大許容伝送速度＃１及び＃２」をそれぞれ受信するため、どの「初期伝送速度」、「伝送速度増加幅」及び「最大許容伝送速度」に従って当該データブロックの伝送速度を制御するべきであるかについて判断することができないという問題点があった。
【００１３】
そこで、本発明は、以上の点に鑑みてなされたもので、移動局ＵＥが、複数のデータフローを同じデータブロックに多重して送信する場合の動作を明確に規定し、かかるデータブロックの伝送速度を効率的に制御することができる伝送速度制御方法、移動局及び無線基地局を提供することを目的とする。
【課題を解決するための手段】
【００１４】
本発明の第１の特徴は、移動局によって上りリンクを介して送信されるデータの伝送速度を、無線基地局によって指示された最大許容伝送速度まで、無線回線制御局によって指示された初期伝送速度及び伝送速度増加幅に従って上げていく伝送速度制御方法であって、前記移動局が、複数のデータフローを同じデータブロックに多重して送信する際に、前記無線基地局によってデータフロー毎に指示された最大許容伝送速度のうち、最も大きい最大許容伝送速度まで、該データブロックの伝送速度を上げていく工程を有することを要旨とする。
【００１５】
本発明の第１の特徴において、前記移動局が、前記無線回線制御局によってデータフロー毎に指示された初期伝送速度のうち、最も大きい初期伝送速度によって前記データブロックの送信を開始する工程を有してもよい。
【００１６】
本発明の第１の特徴において、前記移動局が、前記無線回線制御局によってデータフロー毎に指示された伝送速度増加幅のうち、最も大きい伝送速度増加幅によって、前記データブロックの伝送速度を上げていってもよい。
【００１７】
本発明の第２の特徴は、上りリンクを介して送信するデータの伝送速度を、無線基地局によって指示された最大許容伝送速度まで、無線回線制御局によって指示された初期伝送速度及び伝送速度増加幅に従って上げていくように構成されている移動局であって、複数のデータフローを同じデータブロックに多重して送信する際に、前記無線基地局によってデータフロー毎に指示された最大許容伝送速度のうち、最も大きい最大許容伝送速度まで、該データブロックの伝送速度を上げていくように構成されている伝送速度制御部を具備することを要旨とする。
【００１８】
本発明の第２の特徴において、前記伝送速度制御部が、前記無線回線制御局によってデータフロー毎に指示された初期伝送速度のうち、最も大きい初期伝送速度によって前記データブロックの送信を開始するように構成されていてもよい。
【００１９】
本発明の第２の特徴において、前記伝送速度制御部が、前記無線回線制御局によってデータフロー毎に指示された伝送速度増加幅のうち、最も大きい伝送速度増加幅によって、前記データブロックの伝送速度を上げていくことように構成されていてもよい。
【００２０】
本発明の第３の特徴は、移動局によって上りリンクを介して送信される複数のデータフローが多重されたデータブロックを受信するように構成されている無線基地局であって、前記移動局に対して、データフロー毎の最大許容伝送速度を指示するように構成されている最大許容伝送速度指示部と、前記移動局が、前記データフロー毎に指示された最大許容伝送速度のうち、最も大きい最大許容伝送速度まで、前記データブロックの伝送速度を上げていくことを想定して、該データブロックを受信するための受信リソースを割り当てるように構成されている受信リソース割当部とを具備することを要旨とする。
【００２１】
本発明の第３の特徴において、前記受信リソース割当部が、データフロー毎に指示された初期伝送速度のうち、最も大きい初期伝送速度によって前記データブロックの送信を開始することを想定して、該データブロックを受信するための受信リソースを割り当てるように構成されていてもよい。
【００２２】
本発明の第３の特徴において、前記受信リソース割当部が、データフロー毎に指示された伝送速度増加幅のうち、最も大きい伝送速度増加幅によって、前記データブロックの伝送速度を上げていくことを想定して、該データブロックを受信するための受信リソースを割り当てるように構成されていてもよい。
【発明の効果】
【００２３】
以上説明したように、本発明によれば、移動局ＵＥが、複数のデータフローを同じデータブロックに多重して送信する場合の動作を明確に規定し、かかるデータブロックの伝送速度を効率的に制御することができる伝送速度制御方法、移動局及び無線基地局を提供することができる。
【発明を実施するための最良の形態】
【００２４】
（本発明の第１の実施形態に係る移動通信システムの構成）
図１乃至図３を参照して、本発明の第１の実施形態に係る移動通信システムの構成について説明する。本実施形態に係る移動通信システムは、上り回線エンハンスメントが適用されており、移動局ＵＥによって上りリンクを介して送信されるデータ（データブロック）の伝送速度を、無線基地局ＮｏｄｅＢによって指示された最大許容伝送速度まで、無線回線制御局によって指示された初期伝送速度及び伝送速度増加幅に従って上げていくように構成されている。
【００２５】
図１に示すように、本実施形態に係る移動局ＵＥは、初期伝送速度受信部１１と、伝送速度増加幅受信部１２と、最大許容伝送速度受信部１３と、伝送速度制御部１４と、送信部１５とを具備している。
【００２６】
初期伝送速度受信部１１は、無線基地局ＮｏｄｅＢを介して無線回線制御局ＲＮＣによってデータフロー（サービス種別）毎に指示された初期伝送速度を受信するように構成されている。
【００２７】
伝送速度増加幅受信部１２は、無線基地局ＮｏｄｅＢによってデータフロー毎に指示された伝送速度増加幅を受信するように構成されている。
【００２８】
最大許容伝送速度受信部１３は、無線基地局ＮｏｄｅＢを介して無線回線制御局ＲＮＣによってデータフロー毎に指示された最大許容伝送速度を受信するように構成されている。
【００２９】
伝送速度制御部１４は、複数のデータフロー（例えば、ＭＡＣ-ｄフロー）を送信する際に、無線基地局ＮｏｄｅＢによってデータフロー毎に指示された最大許容伝送速度のうち、最も大きい最大許容伝送速度まで、当該複数のデータフローが多重されたデータブロック（例えば、ＭＡＣ-ｅデータブロック）の伝送速度を上げていくように構成されている。
【００３０】
具体的には、伝送速度制御部１４は、サービス種別＃１用の最大許容伝送速度＃１及びサービス種別＃２用の最大許容伝送速度＃２を受信した場合、最大許容伝送速度＃１の方が最大許容伝送速度＃２よりも大きければ、サービス種別＃１のデータフロー及びサービス種別＃２のデータフローが多重されたデータブロックの伝送速度を、最大許容伝送速度＃１まで上げていくように構成されている。
【００３１】
また、伝送速度制御部１４は、無線基地局ＮｏｄｅＢを介して無線回線制御局ＲＮＣによってデータフロー毎に指示された初期伝送速度のうち、最も大きい初期伝送速度によって上述のデータブロックの送信を開始するように構成されている。
【００３２】
具体的には、伝送速度制御部１４は、サービス種別＃１用の初期伝送速度＃１及びサービス種別＃２用の初期伝送速度＃２を受信した場合、初期伝送速度＃２の方が初期伝送速度＃１よりも大きければ、サービス種別＃１のデータフロー及びサービス種別＃２が多重されたデータブロックの伝送を、初期伝送速度＃２で開始するように構成されている。
【００３３】
また、伝送速度制御部１４は、無線基地局ＮｏｄｅＢを介して無線回線制御局ＲＮＣによってデータフロー毎に指示された伝送速度増加幅のうち、最も大きい伝送速度増加幅によって上述のデータブロックの伝送速度を上げていくことように構成されている。
【００３４】
具体的には、伝送速度制御部１４は、サービス種別＃１用の伝送速度増加幅＃１及びサービス種別＃２用の伝送速度増加幅＃２を受信した場合、伝送速度増加幅＃２の方が伝送速度増加幅＃１よりも大きければ、サービス種別＃１のデータフロー及びサービス種別＃２のデータフローが多重されたデータブロックの伝送速度を、伝送速度増加幅＃２によって上げていくように構成されている。
【００３５】
送信部１５は、伝送速度制御部１４によって決定された伝送速度で、無線基地局ＮｏｄｅＢに対して、複数のデータフローが多重されたデータブロックを送信するように構成されている。具体的には、送信部１５は、複数のＭＡＣ-ｄフローが多重されたデータブロック（ＭＡＣ-ｅデータブロック）を、伝送速度制御部１４によって決定された伝送速度で無線基地局ＮｏｄｅＢに対して送信するように構成されている。
【００３６】
本実施形態に係る無線基地局ＮｏｄｅＢは、移動局ＵＥによって上りリンクを介して送信される複数のデータフロー（例えば、ＭＡＣ-ｄフロー）が多重されたデータブロック（例えば、ＭＡＣ-ｅデータブロック）を受信するように構成されている。図２に示すように、本実施形態に係る無線基地局ＮｏｄｅＢは、無線回線制御局インターフェース３１と、初期伝送速度送信部３２と、伝送速度増加幅送信部３３と、最大許容伝送速度決定部３４と、最大許容伝送速度送信部３５と、受信リソース割当部３６とを具備している。
【００３７】
無線回線制御局インターフェース３１は、無線回線制御局ＲＮＣとのインターフェースの役割を果たすものであり、例えば、無線回線制御局ＲＮＣから、データフロー（サービス種別）毎に設定された初期伝送速度及び伝送速度増加幅を受信するように構成されている。
【００３８】
初期伝送速度送信部３２は、無線回線制御局ＲＮＣから送信された初期伝送速度に基づいて、移動局ＵＥに対して、データフロー毎の初期伝送速度を指示するように構成されている。
【００３９】
伝送速度増加幅送信部３３は、無線回線制御局ＲＮＣから送信された伝送速度増加幅に基づいて、移動局ＵＥに対して、データフロー毎の伝送速度増加幅を指示するように構成されている。
【００４０】
最大許容伝送速度決定部３４は、上り干渉量等に基づいて、データフロー毎に、各移動局ＵＥにおける最大許容伝送速度を決定するように構成されている。
【００４１】
最大許容伝送速度送信部３５は、最大許容伝送速度決定部３４によって決定された最大許容伝送速度に基づいて、移動局ＵＥに対して、データフロー毎の最大許容伝送速度を指示するように構成されている。
【００４２】
受信リソース割当部３６は、移動局ＵＥから上りリンクを介して送信される複数のデータフローが多重されたデータブロックを受信するための受信リソースを割り当てるように構成されている。
【００４３】
具体的には、受信リソース割当部３６は、移動局ＵＥが、データフロー毎に指示された最大許容伝送速度のうち、最も大きい最大許容伝送速度まで、複数のデータフローを多重したデータブロックの伝送速度を上げていくことを想定して、当該データブロックを受信するための受信リソースを割り当てるように構成されている。
【００４４】
また、受信リソース割当部３６は、データフロー毎に指示された初期伝送速度のうち、最も大きい初期伝送速度によって上述のデータブロックの送信を開始することを想定して、当該データブロックを受信するための受信リソースを割り当てるように構成されている。
【００４５】
受信リソース割当部３６は、データフロー毎に指示された伝送速度増加幅のうち、最も大きい伝送速度増加幅によって上述のデータブロックの伝送速度を上げていくことを想定して、当該データブロックを受信するための受信リソースを割り当てるように構成されている。
【００４６】
（本発明の第１の実施形態に係る移動通信システムの動作）
図３を参照して、本実施形態に係る移動通信システムにおいて、移動局におけるデータ（データブロック）の伝送速度を制御する動作について説明する。
【００４７】
図３に示すように、ステップＳ１０１において、無線回線制御局ＲＮＣは、移動局ＵＥにおける通信開始時に、データフロー（例えば、ＭＡＣ-ｄフロー）毎に設定された「初期伝送速度」及び「伝送速度増加幅」を、無線基地局ＮｏｄｅＢに通知する。
【００４８】
ステップＳ１０２において、無線基地局ＮｏｄｅＢは、無線回線制御局ＲＮＣから送信されたデータフロー毎の「初期伝送速度」及び「伝送速度増加幅」を受信する。
【００４９】
ステップＳ１０３において、無線基地局ＮｏｄｅＢは、受信した「初期伝送速度」及び「伝送速度増加幅」を、移動局ＵＥに対して指示する。
【００５０】
ステップＳ１０４において、移動局ＵＥは、無線基地局ＮｏｄｅＢによってデータフロー毎に指示された初期伝送速度のうち、最も大きい初期伝送速度によって複数のデータフローが多重されたデータブロック（例えば、ＭＡＣ-ｅデータブロック）の送信を開始するように決定する。
【００５１】
ステップＳ１０５において、移動局ＵＥは、決定された伝送速度（初期伝送速度）で、上述のデータブロックを無線基地局ＮｏｄｅＢに送信する。
【００５２】
ステップＳ１０６において、無線基地局ＮｏｄｅＢは、無線基地局ＮｏｄｅＢから送信されたデータブロックを受信するとともに、上り干渉量に応じてデータフロー毎の「最大許容伝送速度」を決定する。ここで、無線基地局ＮｏｄｅＢによって受信されたデータブロックは、データフロー毎に、所定の宛先に転送される。
【００５３】
ステップＳ１０７において、無線基地局ＮｏｄｅＢは、決定されたデータフロー毎の「最大許容伝送速度」を、移動局ＵＥに対して指示する。
【００５４】
ステップＳ１０８において、移動局ＵＥは、無線基地局ＮｏｄｅＢによってデータフロー毎に指示された伝送速度増加幅のうち、最も大きい伝送速度増加幅によって、上述のデータブロックの伝送速度を上げることによって、次に送信するデータブロックの伝送速度を決定する。
【００５５】
なお、移動局ＵＥは、無線基地局ＮｏｄｅＢによってデータフロー毎に指示された最大許容伝送速度のうち、最も大きい最大許容伝送速度を超えないように、次に送信するデータブロックの伝送速度を決定する
ステップＳ１０９において、移動局ＵＥは、決定された伝送速度（初期伝送速度＋伝送速度増加幅）で、上述のデータブロックを無線基地局ＮｏｄｅＢに送信する。そして、無線基地局ＮｏｄｅＢによって受信されたデータブロックは、データフロー毎に、所定の宛先に転送される。
【００５６】
（本発明の第１の実施形態に係る移動通信システムの作用・効果）
本発明の第１の実施形態に係る移動通信システムによれば、複数のデータフローを同じデータブロックに多重して送信する場合であっても、移動局ＵＥは、どの「初期伝送速度」、「伝送速度増加幅」及び「最大許容伝送速度」に従って当該データブロックの伝送速度を制御すればよいのか判断できるため、当該データブロックの伝送速度を効率的に制御することができる。
【図面の簡単な説明】
【００５７】
【図１】本発明の第１の実施形態に係る移動局の機能ブロック図である。
【図２】本発明の第１の実施形態に係る無線基地局の機能ブロック図である。
【図３】本発明の第１の実施形態に係る移動通信システムにおいて、移動局におけるデータの伝送速度を制御する動作を示すシーケンス図である。
【図４】従来の「Ｃｏｍｍｏｎ  Ｒａｔｅ  Ｃｏｎｔｒｏｌ」における伝送速度制御方法を説明するための図である。
【図５】従来の「Ｃｏｍｍｏｎ  Ｒａｔｅ  Ｃｏｎｔｒｏｌ」における伝送速度制御方法の問題点を説明するための図である。
【図６】従来の「Ｃｏｍｍｏｎ  Ｒａｔｅ  Ｃｏｎｔｒｏｌ」における伝送速度制御方法の問題点を説明するための図である。
【符号の説明】
【００５８】
ＵＥ…移動局
１１…初期伝送速度受信部
１２…伝送速度増加幅受信部
１３…最大許容伝送速度受信部
１４…伝送速度制御部
１５…送信部
ＮｏｄｅＢ…無線基地局
３１…無線回線制御局インターフェース
３２…初期伝送速度送信部
３３…伝送速度増加幅送信部
３４…最大許容伝送速度決定部
３５…最大許容伝送速度送信部
３６…受信リソース割当部
【図１】
2006197269.tif 000003
【図２】
2006197269.tif 000004
【図３】
2006197269.tif 000005
【図４】
2006197269.tif 000006
【図５】
2006197269.tif 000007
【図６】
2006197269.tif 000008